(57)【要約】【課題】  より的確に基地局位置情報とＧＰＳ位置情報とを利用できる携帯電話機を提供すること。【解決手段】  この携帯電話機１０は、携帯電話機１０をその配下に置いている少なくとも一つの基地局の位置を利用して算出される携帯電話機１０の第１位置情報を取得する第１位置取得部１２と、全地球測位システムを利用して携帯電話機１０の第２位置情報を取得する第２位置取得部１３と、第１位置情報及び第２位置情報それぞれの精度を比較する精度比較部１４と、比較結果に応じて、第１位置情報又は第２位置情報を選択的に利用する位置情報利用部１５と、を備え、位置情報利用部１５は、精度比較部１４の比較結果に係わらず第１位置情報を利用した後に、精度比較部１４の比較結果に応じて、第１位置情報及び第２位置情報のいずれか精度の高い位置情報を利用する。【選択図】  図１
2006109355.tif 000002
【特許請求の範囲】
【請求項１】
当該移動通信端末をその配下に置いている少なくとも一つの基地局の位置を利用して算出される当該移動通信端末の第１位置情報を取得する第１位置取得手段と、
全地球測位システムを利用して当該移動通信端末の第２位置情報を取得する第２位置取得手段と、
前記第１位置情報及び前記第２位置情報それぞれの精度を比較する精度比較手段と、
当該比較結果に応じて、前記第１位置情報又は前記第２位置情報を選択的に利用する位置情報利用手段と、を備え、
前記位置情報利用手段は、
前記精度比較手段の比較結果に係わらず前記第１位置情報を利用した後に、
前記精度比較手段の比較結果に応じて、前記第１位置情報及び前記第２位置情報のいずれか精度の高い位置情報を利用する、
ことを特徴とする移動通信端末。
【請求項２】
前記第１位置情報及び前記第２位置情報は、それぞれの水平誤差を示す誤差情報を含み、
前記精度比較手段は、前記第１位置情報及び前記第２位置情報のそれぞれに含まれる誤差情報に基づいてそれぞれの精度を比較する、ことを特徴とする、請求項１に記載の移動通信端末。
【請求項３】
前記第１位置情報が含む誤差情報が示す当該第１位置情報の水平誤差が所定誤差以内である場合に、
前記第２位置取得手段は前記第２位置情報の取得を行わないことを特徴とする、請求項１に記載の移動通信端末。
【請求項４】
前記第１位置情報を算出する際に利用された基地局が特定の基地局である場合に、前記第１位置情報はその旨の情報を含み、
前記第２位置取得手段は前記第２位置情報の取得を行わないことを特徴とする、請求項１に記載の移動通信端末。
【請求項５】
第１位置取得手段によって、当該移動通信端末をその配下に置いている少なくとも一つの基地局の位置を利用して算出される当該移動通信端末の第１位置情報を取得するステップと、
第２位置取得手段によって、全地球測位システムを利用して当該移動通信端末の第２位置情報を取得するステップと、
精度比較手段によって、前記第１位置情報及び前記第２位置情報それぞれの精度を比較するステップと、
位置情報利用手段によって、当該比較結果に応じて、前記第１位置情報又は前記第２位置情報を選択的に利用するステップと、
前記位置情報利用手段によって、
前記精度比較手段の比較結果に係わらず前記第１位置情報を利用した後に、
前記精度比較手段の比較結果に応じて、前記第１位置情報及び前記第２位置情報のいずれか精度の高い位置情報を利用するステップと、
を備えることを特徴とする位置情報利用方法。
【発明の詳細な説明】
【技術分野】
【０００１】
本発明は、移動通信端末および位置情報利用方法に関する。
【背景技術】
【０００２】
位置情報を取得して、地図情報を提供する移動通信端末がある。移動通信端末が取得する位置情報には、基地局位置情報とＧＰＳ位置情報がある。基地局位置情報とは、移動通信端末の属する移動体通信網において、移動通信端末と通信を行っている基地局を利用して算出する位置情報である。ＧＰＳ位置情報とは、全地球測位システム（ＧＰＳ）を利用して取得する位置情報である。一般的に、ＧＰＳ位置情報の方が、基地局位置情報よりも取得に時間を要する。
【０００３】
そこで、特許文献１には、移動通信端末において、先に取得した基地局位置情報を先に表示し、後からＧＰＳ位置情報を取得すると、ＧＰＳ位置情報の表示に切替える技術が開示されている。
【特許文献１】特開２００３−２８４１２１号公報
【発明の開示】
【発明が解決しようとする課題】
【０００４】
上記特許文献１に記載の技術は、取得に時間を要するＧＰＳ位置情報は、基地局情報よりも精度が高いことを前提としている。しかし、本発明者らの検討の結果、次のような事象があることが判明した。例えば、市街地などにおいては、移動通信端末によって受信可能な信号を出力する衛星の数が少ないので、ＧＰＳ位置情報の精度は低下する。一方で、市街地などにおいては、移動通信端末の利用台数が多く、市街地の広さに対して基地局の数が多いので基地局位置情報の精度が高まる。従って、市街地などにおいては、ＧＰＳ位置情報の精度が基地局位置情報の精度よりも低い場合があることを本発明者らは見出した。
【０００５】
そこで本発明は、より的確に基地局位置情報とＧＰＳ位置情報とを利用できる移動通信端末を提供することを課題とする。
【課題を解決するための手段】
【０００６】
本発明の移動通信端末は、移動通信端末をその配下に置いている少なくとも一つの基地局の位置を利用して算出される移動通信端末の第１位置情報を取得する第１位置取得手段と、全地球測位システムを利用して移動通信端末の第２位置情報を取得する第２位置取得手段と、第１位置情報及び第２位置情報それぞれの精度を比較する精度比較手段と、比較結果に応じて、第１位置情報又は第２位置情報を選択的に利用する位置情報利用手段と、を備え、位置情報利用手段は、精度比較手段の比較結果に係わらず第１位置情報を利用した後に、
精度比較手段の比較結果に応じて、第１位置情報及び第２位置情報のいずれか精度の高い位置情報を利用する。
【０００７】
本発明の位置情報利用方法は、第１位置取得手段によって、移動通信端末をその配下に置いている少なくとも一つの基地局の位置を利用して算出される移動通信端末の第１位置情報を取得するステップと、第２位置取得手段によって、全地球測位システムを利用して移動通信端末の第２位置情報を取得するステップと、精度比較手段によって、第１位置情報及び第２位置情報それぞれの精度を比較するステップと、位置情報利用手段によって、比較結果に応じて、第１位置情報又は第２位置情報を選択的に利用するステップと、位置情報利用手段によって、精度比較手段の比較結果に係わらず第１位置情報を利用した後に、精度比較手段の比較結果に応じて、第１位置情報及び第２位置情報のいずれか精度の高い位置情報を利用するステップと、を備える。
【０００８】
本発明の移動通信端末及び位置情報利用方法によれば、精度比較手段が、第１位置情報及び第２位置情報それぞれの精度を比較するので、第１位置情報と第２位置情報のどちらの精度が高いのか、確実に把握することができる。また、位置情報利用手段が、精度比較結果に係わらず第１位置情報を利用した後に、精度比較結果に応じて、第１位置情報及び第２位置情報のいずれか精度の高い位置情報を利用するので、簡易に取得できる第１位置情報を先に利用し、その後精度を比較した結果、精度の高い方の位置情報を利用することができる。
【０００９】
また、本発明の移動通信端末においては、第１位置情報及び第２位置情報は、それぞれの水平誤差を示す誤差情報を含み、精度比較手段は、第１位置情報及び第２位置情報のそれぞれに含まれる誤差情報に基づいてそれぞれの精度を比較することも好ましい。
水平誤差を示す誤差情報に基づいて、それぞれの精度を比較するので、第１位置情報の精度と第２位置情報の精度とを定量的に比較することができる。
【００１０】
また、本発明の移動通信端末においては、第１位置情報が含む誤差情報が示す第１位置情報の水平誤差が所定誤差以内である場合に、第２位置取得手段は第２位置情報の取得を行わないことも好ましい。
第１位置情報の水平誤差が所定誤差内である場合に、第２位置情報の取得を行わないので、所定精度以上の第１位置情報が得られた場合に、第２位置情報の取得に要する時間を省くことができる。
【００１１】
また、本発明の移動通信端末においては、第１位置情報を算出する際に利用された基地局が特定の基地局である場合に、第１位置情報はその旨の情報を含み、第２位置取得手段は第２位置情報の取得を行わないことも好ましい。
特定の基地局を利用して算出した第１位置情報より精度の高い第２位置情報を取得できないと予め分かっている場合に、第２位置情報の取得に要する時間を省くことができる。
【発明の効果】
【００１２】
本発明によれば、より的確に基地局位置情報とＧＰＳ位置情報を利用できる移動通信端末を提供することができる。
【発明を実施するための最良の形態】
【００１３】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１４】
本実施形態の携帯電話機について、図１を参照しながら説明する。図１は、携帯電話機１０（移動通信端末）の構成を説明するための図である。
【００１５】
携帯電話機１０は通話と共に情報の送受信が可能な移動局であって、携帯電話網２０において、少なくとも一つの基地局の配下に置かれている。携帯電話機１０は、携帯電話網２０を介してアシストデータ提供装置２１から受信するデータと、全地球測位システム（ＧＰＳ：Ｇｌｏｂａｌ  Ｐｏｓｉｔｉｏｎｉｎｇ  Ｓｙｓｔｅｍ）３０のＧＰＳ衛星から受信する電波に基づいて、位置を算出することができる。携帯電話機１０は、取得した位置情報に基づいて、位置関連情報提供装置２２から、携帯電話網２０を介して位置関連情報を取得し、位置関連情報を表示することができる。
【００１６】
携帯電話機１０は、物理的には、ＣＰＵ、メモリー、電源、パワーアンプ、周波数変換チップ、アンテナ、及び入出力インターフェイス部といった要素から構成される情報通信装置である。
【００１７】
携帯電話機１０は、機能的な構成要素として、要求受付部１１と、第１位置取得部１２（第１位置取得手段）と、第２位置取得部１３（第２位置取得手段）と、精度比較部１４（精度比較手段）と、位置情報利用部１５（位置情報利用手段）とを備えている。引き続いて、携帯電話機１０の各構成要素について説明する。
【００１８】
要求受付部１１は、位置関連情報の要求を受付ける部分である。位置関連情報とは、例えば、携帯電話機１０が位置する場所の周辺地図情報といった情報である。要求受付部１１は、位置関連情報の要求を受付けると、位置関連情報の要求を受付けた旨を示す受付情報を第１位置取得部１２に出力する。
【００１９】
第１位置取得部１２は、携帯電話機１０をその配下に置いている少なくとも一つの基地局の位置を利用して算出される携帯電話機１０の第１位置情報と、第１位置情報の水平誤差を示す誤差情報を取得する部分である。より具体的には、第１位置取得部１２は、要求受付部１１から受付情報が出力されると、携帯電話機１０が属する携帯電話網２０から第１位置情報を取得する。第１位置取得部１２は、物理的には上述したパワーアンプ、周波数変換チップ、アンテナ等からなる送受信手段を介して携帯電話網２０と情報の送受信を行う。第１位置情報は、携帯電話網２０において、携帯電話機１０が受信する、基地局から出力される電波の電界強度と、基地局の位置を利用して算出される。第１位置取得部１２は、取得した第１位置情報を位置情報利用部１５に出力する。
【００２０】
さらに、第１位置取得部１２は、取得した誤差情報が示す第１位置情報の水平誤差が所定誤差以内であるかどうか判定する。例えば、第１位置情報の水平誤差が、Ａｍ以下であるかどうか判定する。数値Ａは、例えば、２５から４００の間の数値である。屋外の基地局を利用して算出した第１位置情報の水平誤差は、４００ｍ以上となるのが通常である。一方、屋内の基地局を利用して算出した第１位置情報の水平誤差は、２５ｍ程度である。よって、数値Ａを２５から４００の間に設定し、第１位置情報の水平誤差がＡｍ以下であるかどうか判定することによって、第１位置情報を算出する際に利用した基地局が屋内に設置されたものか、屋外に設置されたものか判定できる。
【００２１】
判定の結果、水平誤差がＡｍより大きい場合は、第１位置取得部１２は、第２位置取得部１３へ、第２位置情報の取得を要求する旨の情報と、第１位置情報とを出力する。加えて、第１位置取得部１２は、第１位置情報の水平誤差を示す誤差情報を、精度比較部１４へ出力する。
【００２２】
第２位置取得部１３は、ＧＰＳを利用して、携帯電話機１０の第２位置情報と、第２位置情報の水平誤差を示す誤差情報を取得する部分である。第２位置情報の取得について具体的に説明する。第２位置取得部１３は、アシストデータ提供装置２１からアシストデータを取得する。第２位置取得部１３は、物理的には上述したパワーアンプ、周波数変換チップ、アンテナ等からなる送受信手段を介して携帯電話網２０と情報の送受信を行う。アシストデータとは、地球を回る２４台のＧＰＳ衛星のうち、位置の算出に利用するＧＰＳ衛星を特定するデータのことである。また、第２位置取得部１３は、エフェメリス情報を、ＧＰＳ衛星から受信する。エフェメリス情報とは、各ＧＰＳ衛星の軌道情報と時間情報を含んでいる情報である。第２位置取得部１３は、ＧＰＳ測位を行う。ＧＰＳ測位とは、取得したアシストデータに基づいて、測位に必要なＧＰＳ衛星を特定し、そのＧＰＳ衛星から出力されるエフェメリス情報を利用して現在地の緯度及び経度を算出することである。ＧＰＳ測位を行うことによって、第２位置情報が得られる。
【００２３】
第２位置取得部１３は、第２位置情報の水平誤差を示す誤差情報を精度比較部１４に出力する。さらに、第２位置情報を出力する旨を示す情報を精度比較部１４から受けると、第２位置情報を位置情報利用部１５へ出力する。
【００２４】
精度比較部１４は、第１位置情報及び第２位置情報のそれぞれに含まれる水平誤差を示す誤差情報に基づいて、それぞれの精度を比較する部分である。精度比較の結果、第２位置情報の水平誤差が第１位置情報の水平誤差以下の場合は、第２位置取得部１３へ、第２位置情報を位置情報利用部１５へ出力する旨の情報を出力する。
【００２５】
位置情報利用部１５は、精度比較部１４の比較結果に係わらず第１位置情報を利用した後に、精度比較部の比較結果に応じて、第１位置情報及び第２位置情報のいずれか精度の高い位置情報を利用する部分である。
位置情報の利用とは、例えば、位置情報提供装置２２から、位置情報が示す位置周辺の地図情報を取得し、図示しない携帯電話機１０の表示部に表示するというものである。位置情報の利用について具体的に説明する。位置利用部１５が、利用する位置情報と、その位置情報の水平誤差を示す誤差情報と、携帯電話機１０を識別する端末識別情報とを、位置関連情報提供装置２２に送信すると、位置関連情報提供装置２２によって、位置情報に関連するする地図情報が付加された、位置関連情報が携帯電話機１０に返信される。携帯電話機１０は、位置関連情報提供装置２２が返信した位置関連情報を表示画面に表示する。
【００２６】
引き続いて、携帯電話機１０の動作を説明しながら、位置情報利用方法について説明する。図２は、携帯電話機１０の動作を示すフロー図である。
【００２７】
位置関連情報の要求が、要求受付部１１によって受付けられる（Ｓ１）。位置関連情報の要求が受付けられると、第１位置情報の要求が、第１位置取得部１２によって、携帯電話網２０へなされる（Ｓ２）。第１位置情報と第２位置情報の水平誤差を示す誤差情報が、携帯電話網２０から、第１位置取得部１２によって取得される（Ｓ３）。
【００２８】
第１位置情報が取得されると、第１位置情報と、第１位置情報の誤差情報と、携帯電話機１０の識別情報とが、位置情報利用部１５によって、位置関連情報提供装置２２へ通知される（Ｓ４）。通知された情報に応じて、位置関連情報提供装置２２によって生成された第１位置関連情報が、位置情報利用部１５によって取得される（Ｓ５）。第１位置関連情報が取得されると、位置情報利用部１５によって、第１位置関連情報が表示される（Ｓ６）。
【００２９】
第１位置情報が取得されると、第１位置情報の水平誤差が、所定値Ａｍ以下かどうか、第１位置取得部１２によって判定される（Ｓ７）。第１位置情報の水平誤差が所定値Ａｍ以下である場合（Ｓ７でＹＥＳ）は、一連の動作を終了する。例えば、所定値を１００ｍとした場合に、第１位置情報の水平誤差が２５ｍであった場合について具体的に説明する。一般的に、屋内の基地局の位置を利用して第１位置情報を算出した場合は、第１位置情報の水平誤差は数十メートル程度となる。一方、屋外の基地局の位置を利用して第１位置情報を算出した場合は、第１位置情報の水平誤差は４００メートル以上の値になる。上記のように、第１位置情報の水平誤差が２５メートルであった場合は、屋内の基地局の位置を利用して第１位置情報を算出しているので、携帯電話機１０は、屋内にある。屋内において、携帯電話機１０は、ＧＰＳ衛星から出力されるエフェメリス情報を取得できないので、第２位置情報を取得することができない。よって、一連の動作を終了することによって、第２位置情報を取得するのに要する時間を省くことができる。
【００３０】
第１位置情報の水平誤差が所定値Ａｍより大きい場合（Ｓ７でＮＯ）は、格納してある有効なアシストデータが有るかどうか、第２位置取得部１３によって判定する。（Ｓ８）。有効なアシストデータがある場合（Ｓ８でＹＥＳ）は、エフェメリス情報が、第２位置取得部１３によって取得される（Ｓ１２）。
【００３１】
一方、有効なアシストデータが無い場合（Ｓ８でＮＯ）は、アシストデータ要求の旨の情報が、第２位置取得部１３によって、アシストデータ提供装置２１へ送信される（Ｓ９）。アシストデータ要求に応じて、アシストデータ提供装置２１が提供するアシストデータが、第２位置取得部１３によって取得される（Ｓ１０）。取得されたアシストデータは、第２位置取得部１３によって格納される（Ｓ１１）。アシストデータが格納されると、エフェメリス情報が第２位置取得部１３によって取得される（Ｓ１２）。
【００３２】
エフェメリス情報が取得されると、第２位置情報と第２位置情報の誤差情報が、第２位置取得部１３によって取得される（Ｓ１３）。第２位置情報の水平誤差が取得されると、第２位置情報の水平誤差と第１位置情報の水平誤差が、精度比較部１４によって比較される（Ｓ１４）。第２位置情報の水平誤差が第１位置情報の水平誤差より大きい場合（Ｓ１４でＮＯ）は、一連の動作を終了する。第２位置情報の水平誤差が第１位置情報の水平誤差以下である場合（Ｓ１４でＹＥＳ）、第２位置情報と、第２位置情報の誤差情報と、携帯電話機１０の識別情報とが、位置情報利用部１５によって、位置関連情報提供装置２２へ通知される（Ｓ１５）。通知された情報に応じて、位置関連情報提供装置２２によって生成された第２位置関連情報が、位置情報利用部１５によって取得される（Ｓ１６）。第２位置関連情報が取得されると、位置情報利用部１５によって、第２位置関連情報が、第１位置関連情報から切替えて表示される（Ｓ１７）。
【００３３】
続いて、本実施形態の作用および効果について説明する。水平誤差の比較結果に応じて、第１位置情報又は第２位置情報を選択的に利用するので、より的確に基地局位置情報とＧＰＳ位置情報を利用できる移動通信端末を提供することができる。
【００３４】
上記実施形態において、第１位置情報の水平誤差が所定誤差以内である場合に、第２位置情報の取得を行わなかったが、第１位置情報を算出する際に利用された基地局が特定の基地局である場合に、第１位置情報はその旨の情報を含み、第２位置情報の取得を行わないようにしても良い。例えば、屋内に設置された基地局を特定の基地局とすれば、屋内に設置された基地局を利用して、第１位置情報を算出した場合に、第２位置情報を取得しない。携帯電話機１０は、屋内では、第２位置情報の取得は不可能なので、第２位置情報の取得に要する時間を省くことができる。
【００３５】
また本実施形態における携帯電話網２０は、いわゆるＰＤＣ方式や、Ｗ−ＣＤＭＡ方式の携帯電話網のみならず、ＩＰ携帯電話機が利用可能な網やＢｌｕｅｔｏｏｔｈ（登録商標）携帯電話機が利用可能な網を含む。従って、携帯電話網２０の基地局には、無線ＬＡＮ基地局や、Ｂｌｕｅｔｏｏｔｈ（登録商標）基地局が含まれる。
【図面の簡単な説明】
【００３６】
【図１】本実施形態である携帯電話機の構成を示した図である。
【図２】本実施形態である携帯電話機の動作及び位置情報利用方法を示したフロー図である。
【符号の説明】
【００３７】
１０・・・携帯電話機、１１・・・要求受付部、１２・・・第１位置取得部、１３・・・第２位置取得部、１４・・・精度比較部、１５・・・位置情報利用部、２１・・・アシストデータ提供装置、２２・・・位置関連情報提供装置、３０・・・ＧＰＳ衛星。
【図１】
2006109355.tif 000003
【図２】
2006109355.tif 000004